(57)【要約】【課題】光源が配置された空間への昆虫等の侵入を抑制できる照明器具を提供する。【解決手段】照明器具１は、光源３２と、光源３２が配置される底面部３３１、および、底面部３３１の両端から立設する側面部３３２を有する基台と、光源３２を覆うカバー本体３４１、および、カバー本体３４１から光源３２側に向かって突き出ており、隙間３７１を介して側面部３３２の外側に位置し、側面部３３２と接続されるカバー設置部３４２を有する透光カバー３４と、を備える。側面部３３２には、カバー設置部３４２に向かって突出する１つ以上の突出部３１１が設けられている。【選択図】図３
2020123491.tif 000002
【特許請求の範囲】
【請求項１】
光源と、
前記光源が配置される底面部、および、前記底面部の両端から立設する側面部を有する基台と、
前記光源を覆うカバー本体、および、前記カバー本体から前記光源側に向かって突き出ており、隙間を介して前記側面部の外側に位置し、前記側面部と接続されるカバー設置部を有する透光カバーと、を備え、
前記側面部には、前記カバー設置部に向かって突出する１つ以上の突出部が設けられている
照明器具。
【請求項２】
前記突出部のうち少なくとも１つは、前記カバー設置部と接触していない
請求項１に記載の照明器具。
【請求項３】
前記突出部と前記カバー設置部との間隔が０．６ｍｍ以下である
請求項１または２に記載の照明器具。
【請求項４】
前記突出部は、前記側面部の正面視において線状または帯状の先端部を有し、
前記側面部から前記先端部までの高さが一定である
請求項３に記載の照明器具。
【請求項５】
前記側面部には、さらに貫通穴が形成されており、
前記突出部は、前記貫通穴を囲む領域の一部に設けられている
請求項１〜４のいずれか１項に記載の照明器具。
【請求項６】
前記突出部は、前記貫通穴を挟むように複数設けられている
請求項５に記載の照明器具。
【請求項７】
前記突出部と当該突出部の隣に位置する前記貫通穴との距離が５ｍｍ以下である
請求項５または６に記載の照明器具。
【請求項８】
前記突出部の少なくとも１つは、前記側面部において、前記貫通穴の前記底面部側に設けられている
請求項５〜７のいずれか１項に記載の照明器具。
【請求項９】
前記突出部が前記側面部と一体で形成されている
請求項１〜８のいずれか１項に記載の照明器具。
【請求項１０】
前記基台は、板金プレス成形品である
請求項９に記載の照明器具。
【請求項１１】
前記突出部の少なくとも一部が前記カバー設置部と接触しており、
前記突出部と前記カバー設置部とが接触する面積の合計が、前記側面部の正面視の面積に対して１／５以下である
請求項１〜１０のいずれか１項に記載の照明器具。
【請求項１２】
前記光源は、ＬＥＤ（Ｌｉｇｈｔ  Ｅｍｉｔｔｉｎｇ  Ｄｉｏｄｅ）を含む発光素子を備える
請求項１〜１１のいずれか１項に記載の照明器具。
【発明の詳細な説明】
【技術分野】
【０００１】
本発明は、照明器具に関する。
【背景技術】
【０００２】
器具本体等に取付孔が形成されている等、照明器具外部から照明器具内部につながる経路を有する照明器具は、その経路を通じて小さい昆虫等が侵入する場合がある。特許文献１では、昆虫等の侵入を防止するために、器具本体における取付孔が形成された環状部分に、全周にわたって造営面側に突出する突条が形成されている照明器具が開示されている。また、特許文献２では、昆虫等の侵入経路となる隙間に、毛様部を配置することで隙間を埋め、毛によって昆虫等の侵入を防ぐ照明器具が開示されている。
【先行技術文献】
【特許文献】
【０００３】
【特許文献１】実開平６−４１０２２号公報
【特許文献２】特許第４３９６４３９号公報
【発明の概要】
【発明が解決しようとする課題】
【０００４】
照明器具においては、光源が配置された空間への昆虫等の侵入を抑制することが望まれる。
【０００５】
そこで、本発明は、光源が配置された空間への昆虫等の侵入を抑制できる照明器具を提供することを目的とする。
【課題を解決するための手段】
【０００６】
上記目的を達成するために、本発明の一態様に係る照明器具は、光源と、前記光源が配置される底面部、および、前記底面部の両端から立設する側面部を有する基台と、前記光源を覆うカバー本体、および、前記カバー本体から前記光源側に向かって突き出ており、隙間を介して前記側面部の外側に位置し、前記側面部と接続されるカバー設置部を有する透光カバーと、を備え、前記側面部には、前記カバー設置部に向かって突出する１つ以上の突出部が設けられている。
【発明の効果】
【０００７】
本発明に係る照明器具によれば、光源が配置された空間への昆虫等の侵入を抑制できる。
【図面の簡単な説明】
【０００８】
【図１】図１は、実施の形態に係る照明器具の概略構成を示す斜視図である。
【図２】図２は、実施の形態に係る照明器具の概略構成を示す分解斜視図である。
【図３】図３は、実施の形態に係る照明器具の概略構成を示す断面図である。
【図４】図４は、実施の形態に係る突出部の詳細を示す断面図である。
【図５】図５は、実施の形態に係る基台の側面部の正面視図である。
【図６】図６は、実施の形態に係る照明器具に昆虫等が侵入する経路を示す図である。
【図７】図７は、実施の形態の変形例に係る基台の側面部の正面視図である。
【発明を実施するための形態】
【０００９】
（本発明に係る照明器具に至った知見）
昆虫等は、照明器具の光源の光に引き寄せられるため、光源が配置された空間に侵入した昆虫は、侵入した経路を戻って、照明器具の外側へ出ることはほとんどない。よって、特に、照明器具の中でも、光源が配置された空間への昆虫等の侵入を抑制することが望まれる。
【００１０】
特許文献１の照明器具では、造営面と突条とが密着することにより、昆虫等の侵入経路を遮断している。しかしながら、侵入経路を遮断するために密着させる部材によっては、密着した部材がずれた場合に異音が発生する問題がある。また、特許文献２の照明器具のように、毛様部を利用して昆虫等の侵入を防止する場合、照明器具の部材とは別部材を取り付けることになるため、コストアップとなったり、時間が経過すると毛が変形して侵入経路となる隙間が再び大きくなったりする問題がある。
【００１１】
本発明は、このような課題を解決するためになされたものであり、特に、照明器具の内部への昆虫等の侵入経路を遮断することなく、光源が配置された空間への昆虫等の侵入を抑制できる照明器具を提供することを目的とする。
【００１２】
（実施の形態）
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態等は、一例であり、本発明を限定する主旨ではない。また、以下の実施の形態における構成要素のうち、最上位概念を示す独立請求項に記載されていない構成要素については、任意の構成要素として説明される。また、本発明を示すために適宜強調、省略、または比率の調整を行った模式図であり、必ずしも厳密に図示されたものではなく、実際の形状、位置関係、および比率とは異なる場合がある。
【００１３】
［全体構成］
以下、本実施の形態に係る照明器具について説明する。
【００１４】
図１は、本実施の形態に係る照明器具の概略構成を示す斜視図である。図２は、図１の照明器具の分解斜視図である。図３は、照明器具の断面図である。具体的には、図３では、図１に示されるIII−III線を通り、照明器具の長手方向と垂直な方向に切断した断面が示されている。
【００１５】
図１および図２に示されるように、本実施の形態に係る照明器具１は、器具本体２と、光源ユニット３とを備える。
【００１６】
器具本体２は、図示しない吊ボルトによって天井に取り付けられ、光源ユニット３を着脱自在に保持する構造体である。具体的には、器具本体２は、板金に曲げ加工を施すことで長尺の扁平な箱状に形成されている。器具本体２における天井とは反対側には、光源ユニット３を収容するための矩形の収容凹部２１が器具本体２の全長にわたって設けられている。また、器具本体２の長手方向における両端部には、エンドキャップ４がそれぞれ取り付けられている。
【００１７】
光源ユニット３は、図２および図３に示されるように、複数（図２では２個）の光源３２と、基台３３と、透光カバー３４とを備える。つまり、照明器具１は、光源３２と、基台３３と、透光カバー３４とを備える。なお、照明器具１は、器具本体２を備えていなくてもよく、基台３３を直接天井等に取り付けてもよい。つまり、基台３３が器具本体となり、光源３２および透光カバー３４を保持して天井等に固定される構造であってもよい。
【００１８】
光源３２は、長尺な矩形板状に形成されたプリント基板３２１と、プリント基板３２１の下面に長手方向に沿って実装された複数の発光素子３２２とを備える。発光素子３２２は、例えば、ＬＥＤ（Ｌｉｇｈｔ  Ｅｍｉｔｔｉｎｇ  Ｄｉｏｄｅ）であり、具体的には白色ＬＥＤである。白色ＬＥＤは、異なる二つの波長域に発光ピーク波長を有し、うち一つの発光ピーク波長が５００ｎｍ以下の波長域にある白色ＬＥＤである。白色ＬＥＤとしては、例えば、発光素子と蛍光体とを含み、第１の発光ピーク波長が４４０ｎｍ以上４６５ｎｍ以下の波長域にあり、第２の発光ピーク波長が５００ｎｍ以上６４０ｎｍ以下の波長域にあるＬＥＤが挙げられる。本実施の形態に係る照明器具によれば、このような、虫を引き寄せやすい短波長の光が発生するＬＥＤが備えられた光源３２であっても、光源３２が配置された空間への昆虫等の侵入を抑制できる。
【００１９】
また、各光源３２において隣接する光源３２に対向する端部には、電源供給用のコネクタ（図示省略）がそれぞれ実装されている。各光源３２のコネクタ同士は電気的に接続されている。これにより、１つの光源３２に対して、図示しない電源装置を電気的に接続すれば、各光源３２に電力を供給することができる。
【００２０】
基台３３は、光源３２が取り付けられる長尺な板金部材である。具体的には、基台３３は、板金に曲げ加工を施すことで断面視略Ｕ字状に形成されている。基台３３は、長尺且つ矩形板状に形成され、光源３２が配置される底面部３３１と、底面部３３１の幅方向における両端から、光源３２側の反対側に立設する一対の側面部３３２とを有している。底面部３３１には、その一部を切り起こすことで形成された係止爪３３４が備えられており、この係止爪３３４によって光源３２が基台３３に固定されている。また、一対の側面部３３２の上端部３３３は、図３に示されるように、外側に向けて弧状に曲げられている。基台３３は、全長にわたって概ね同じ断面形状となっている。
【００２１】
透光カバー３４は、光源３２を覆うように基台３３に接続され、器具本体２に取り付けられる長尺な開放型の透光性のカバーである。透光カバー３４は、光源３２から発せられた光を透過させる透光性の部材である。透光カバー３４は、例えば、アクリル樹脂、ポリカーボネート樹脂等の透光性樹脂材料または透明なガラス材料等の透光性を有する材料で形成される。
【００２２】
また、透光カバー３４は、光源３２から発せられた光を拡散する機能を有している。例えば、透光カバー３４は、シリカまたは炭酸カルシウム等の光拡散材（微粒子）を含有する樹脂または白色顔料を、透光カバー３４の内面または外面に付着させることで、乳白色の光拡散膜が透光カバー３４に形成される。また、透光カバー３４そのものが、光拡散材が分散された樹脂材料等を用いて形成されてもよい。
【００２３】
なお、光を拡散する透光カバー３４としては、内部に光拡散材を分散させるのではなく、透光カバー３４の内面または外面に光拡散材等を含む乳白色の光拡散膜を形成することによって構成されていてもよい。また、光を拡散する透光カバー３４は、光拡散材を用いるのではなく、拡散加工を施すことによって光拡散性を有するように構成されていてもよい。例えば、シボ加工等の表面処理を施すことによって透明パネルの内面または外面に微小凹凸を形成したり、透光カバーの内面または外面にドットパターンを印刷したりすることによって光拡散性を有するように構成してもよい。なお、拡散加工する場合であっても、光拡散性を高めるために、さらに光拡散材を含有させてもよい。なお、透光カバー３４が光を拡散する機能を有することは必須ではなく、透光カバー３４は、透光カバー３４の外部から内部を視認可能な程度に透明であってもよい。
【００２４】
透光カバー３４は、光源３２を覆うカバー本体３４１、および、カバー本体３４１から光源３２側に向かって突き出しており、隙間３７１を介して一対の側面部３３２の外側に位置し、側面部３３２と接続される一対のカバー設置部３４２を、一体的に備えている。透光カバー３４は、全長にわたって概ね同じ断面形状となっている。
【００２５】
カバー本体３４１は、光源３２を覆って、光源３２から発せられた光を透過する部分である。カバー本体３４１は、光源３２側が開口する長尺状に形成され、幅方向において両端から中央に行くほど外方への突出量が大きくなる凸レンズ形状となっている。このようにカバー本体３４１の形状を凸レンズ形状とすることで、例えば平坦状のカバー本体３４１と比べても各方向への配光量をほぼ均等にすることができる。
【００２６】
一対のカバー設置部３４２は、カバー本体３４１の光源３２側の面（内面）から突き出している。一対のカバー設置部３４２は、それぞれ基台３３の底面部３３１および側面部３３２に係合し、基台３３を保持している。具体的には、カバー設置部３４２は、カバー設置部３４２の上端部３６１が、光源３２側が開口する略Ｃ字状の形状を有し、カバー設置部３４２の下端部３６２が、Ｌ字状の形状を有し、光源側に突出している。基台３３における側面部３３２の上端部３３３に対して、カバー設置部３４２の上端部３６１が係止される。これにより、基台３３と、透光カバー３４とが組み付けられる。図３においては、側面部３３２とカバー設置部３４２とが、側面部３３２の長手方向全体にわたり、隙間３７１が空いた状態で設置される。つまり、側面部３３２とカバー設置部３４２とは、係止されることにより接続される部分以外が離れた状態である。隙間３７１が存在することにより、基台３３および透光カバー３４の材料の熱膨張係数の違い等に起因し、接続後に寸法の変動があった場合でも、寸法変動により発生する応力等を緩和できる。また、図３においては、基台３３の底面部３３１がカバー設置部３４２の下端部３６２と接触しているが、基台３３および透光カバー３４形成時の寸法精度に起因する寸法のバラツキ等から、底面部３３１と下端部３６２とは、接触していない場合がある。
【００２７】
なお、カバー本体３４１およびカバー設置部３４２は、同じ材料で形成されてもよく、異なる材料で形成されてもよい。カバー本体３４１およびカバー設置部３４２が樹脂材料で形成される場合には、押出成形等によってカバー設置部３４２をカバー本体３４１とともに一体的に形成してもよい。また、カバー本体３４１およびカバー設置部３４２が異なる材料で形成される場合には、予め別体のカバー本体３４１とカバー設置部３４２とを準備し、組み立てることで一体化してもよい。カバー本体とカバー設置部との一体化の手法としては、溶着、接着、締結等の周知の組み立て手法を用いることができる。また、カバー本体３４１およびカバー設置部３４２が異なる材料で形成される場合には、カバー設置部３４２は、非透光性の樹脂材料または金属材料で形成されてもよい。
【００２８】
透光カバー３４と基台３３とは組み付けられた状態で、器具本体２の収容凹部２１に取り付けられている。具体的には、透光カバー３４のカバー設置部３４２の一部と、基台３３の側面部３３２とが、器具本体２の収容凹部２１内に配置されることになり、基台３３の底面部３３１上の発光素子３２２が器具本体２の下方を向く。この状態で、透光カバー３４のカバー本体３４１が、収容凹部２１の開口を覆うとともに、光源３２の下方を覆うことになる。器具本体２に対して、透光カバー３４と、基台３３とが取り付けられると、器具本体２の長手方向における両端部に、エンドキャップ４がそれぞれ取り付けられることで、器具本体２と透光カバー３４と基台３３とが固定され、照明器具１が組み立てられる。
【００２９】
図３に示されるように、基台３３の側面部３３２には、カバー設置部３４２に向かって突出する１つ以上の突出部３１１（図２においては図示省略）が設けられている。つまり、側面部３３２は、隙間３７１の間隔を狭くする突出部３１１を有する。突出部３１１が設けられていることにより、昆虫等が侵入した場合に、隙間３７１内での昆虫等の移動を制限し、光源３２が配置された空間への昆虫等の侵入を抑制できる。本実施の形態においては、突出部３１１は、複数設けられており、例えば、１つの側面部３３２に対して２０設けられる。突出部３１１は、基台３３の側面部３３２と一体で形成されている。これにより、新たに部材を取り付ける必要がないため、簡易に側面部３３２に突出部３１１を形成することができる。基台３３は、例えば、板金プレス成形品である。板金プレス成形品であることにより、突出部３１１が板金で形成されるため、従来の毛で昆虫等の侵入を抑制する照明器具とは異なり、耐久性が高く、長期にわたり、光源３２が配置された空間への昆虫等の侵入を抑制できる。
【００３０】
次に、基台３３の側面部３３２に形成された突出部３１１について、図４および図５を用いて詳細に説明する。図４は、突出部３１１の詳細を示す断面図である。図４は、図３の一部の拡大図であり、基台３３の側面部３３２と透光カバー３４のカバー設置部３４２とが接続される部分の断面を示している。図４では、側面部３３２の下部およびカバー設置部３４２の下部が省略されている。図５は、基台３３の側面部３３２の端部付近を示す正面視図であり、カバー設置部３４２と接続されていない状態が示されている。
【００３１】
図４に示されるように、側面部３３２に形成された突出部３１１は、カバー設置部３４２に向かって突出しており、突出部３１１とカバー設置部３４２との間は離れている。つまり、突出部３１１は、カバー設置部３４２とは接触していない。本実施の形態においては、すべての突出部３１１が、カバー設置部３４２とは接触していない。突出部３１１とカバー設置部３４２との間隔ａは、０．６ｍｍ以下であることが好ましく、０．３ｍｍ以下であることがより好ましい。間隔ａを０．６ｍｍ以下にすることにより、透光カバー３４内への昆虫等の侵入を抑制する効果が高くなりやすい。
【００３２】
図５に示されるように、突出部３１１は、側面部３３２の正面視において側面部３３２の長手方向と垂直な方向に、まっすぐ長細い帯状である。突出部３１１の長さは、貫通穴３１５の直径よりも長い。突出部３１１は、帯状の先端部３１２を有する。先端部３１２の幅ｂは、特に制限されず、基台３３の形状等により、適宜調整すればよく、先端部３１２は、幅ｂがほとんどゼロの線状に形成されてもよい。つまり、先端部３１２は、線状または帯状の領域を有していてもよい。図４に示されるように、側面部３３２から先端部３１２までの高さは一定である。側面部３３２から突出部３１１の先端部３１２までの高さは、いずれの突出部３１１も一定である。これにより、突出部３１１とカバー設置部３４２との間隔ａが一定に保たれている。
【００３３】
図５に示されるように、側面部３３２には、貫通穴３１５が形成されており、突出部３１１は、貫通穴３１５を囲む領域の一部に設けられている。つまり、突出部３１１は、貫通穴３１５と所定の距離ｄを隔てて、貫通穴３１５の周囲に設けられている。具体的には、突出部３１１は、貫通穴３１５を挟むように複数設けられ、カバー設置部３４２に向かって突出（図５では紙面の垂直方向における手前方向に突出）している。貫通穴３１５は、基台３３を器具本体２または天井等と接続する場合、および、基台３３の内側に、各種部品、コード等を固定する場合等に使用される穴である。また、突出部３１１は、側面部３３２の長手方向の端部３１６との距離が距離ｃである位置にも形成されている。
【００３４】
突出部３１１と当該突出部３１１の隣に位置する貫通穴３１５との距離ｄは、５ｍｍ以下であることが好ましい。距離ｄを５ｍｍ以下にすることにより、透光カバー３４内への昆虫等の侵入を抑制する効果が高くなりやすい。
【００３５】
［動作］
次に、本実施の形態に係る照明器具１の動作について説明する。
【００３６】
光源３２は、電源装置から電力が供給されると、発光素子３２２が発光する。光源３２から照射された光は、透光カバー３４を透過して、透光カバー３４のカバー本体３４１から出射して、照明器具１の下方を照らす。このとき、光源３２の光により、昆虫等が照明器具１の周囲に引き寄せられる。引き寄せられた昆虫等は、まず、器具本体２と光源ユニット３との隙間、器具本体２の施工のために形成された穴等から、基台３３の内側に侵入する。
【００３７】
図６は、昆虫等が、光源３２が配置された空間である透光カバー３４におけるカバー本体３４１の内側に侵入する際の経路の概略を示す図である。図６は、図３の一部の拡大図であり、基台３３の側面部３３２および透光カバー３４のカバー設置部３４２の周辺の断面を示している。
【００３８】
図６に示されるように、基台３３の内側に侵入した昆虫等は、基台３３の側面部３３２に形成された貫通穴３１５を通る経路４０１により、側面部３３２と透光カバー３４のカバー設置部３４２とに囲まれた隙間３７１に侵入する。隙間３７１は、側面部３３２とカバー設置部３４２の一部が離れているために発生する隙間であり、側面部３３２の長手方向全体にわたって存在する。隙間３７１は、昆虫等が照明器具１の光源３２が配置された空間に侵入するための経路となる。また、昆虫等は、側面部３３２とカバー設置部３４２とに囲まれた隙間３７１の長手方向端部からも侵入する。通常、基台３３および透光カバー３４の形成時の寸法精度および熱膨張係数の違い等に起因して、基台３３の底面部３３１とカバー設置部３４２の下端部３６２との間に隙間が発生する。よって、隙間３７１に侵入した昆虫等は、基台３３の底面部３３１とカバー設置部３４２の下端部３６２との間を通る経路４０３により、透光カバー３４におけるカバー本体３４１の内側に侵入することが可能である。カバー本体３４１の内側に昆虫等が侵入した場合には、昆虫等が光源３２に引き寄せられるため、照明器具１の内部に留まることになる。
【００３９】
本実施の形態に係る照明器具１によれば、側面部３３２に突出部３１１が形成されているため、昆虫等が隙間３７１の長手方向に移動することが制限される。隙間３７１に侵入した昆虫等は、隙間３７１に侵入する際の入り口である貫通穴３１５、または、隙間３７１の長手方向端部の周囲に昆虫等がとどまりやすくなる。よって、隙間３７１に侵入した昆虫等は、経路４０３によって、透光カバー３４におけるカバー本体３４１の内側に侵入する前に、隙間３７１に侵入した経路と逆方向の経路４０２により移動し、隙間３７１から基台３３の内側へ出ていきやすい。側面部３３２とカバー設置部３４２とに囲まれた隙間３７１の長手方向端部からも侵入した昆虫等も同様である。これにより、侵入経路を遮断していない場合であっても、照明器具１における光源３２が配置された空間であるカバー本体３４１の内側に、昆虫等が侵入することが抑制される。
【００４０】
また、光源３２の発光素子３２２は発光時に発熱するため、基台３３および透光カバー３４は熱膨張する。この際、基台３３および透光カバー３４は、通常は異なる材質で形成されているため、それぞれの熱膨張係数も異なる。そのため、照明器具１の点灯中に、基台３３と透光カバー３４との熱膨張係数の違いのために、基台３３の側面部３３２と透光カバー３４のカバー設置部３４２との接触部がずれて、擦れる際に異音が発生する。本実施の形態に係る照明器具１では、側面部３３２に設けられた突出部３１１とカバー設置部３４２とが接触しておらず、隙間が空いているため、突出部３１１とカバー設置部３４２との接触に由来する異音の発生が発生しない。よって、側面部３３２とカバー設置部３４２との接触部が擦れて発生する異音の発生が抑制される。
【００４１】
［効果等］
以上のように、本実施の形態によれば、照明器具１は、光源３２と、光源３２が配置される底面部３３１、および、底面部３３１の両端から立設する側面部３３２を有する基台３３とを備える。さらに、照明器具１は、光源３２を覆うカバー本体３４１、および、カバー本体３４１から光源３２側に向かって突き出ており、隙間３７１を介して側面部３３２の外側に位置し、側面部３３２と接続されるカバー設置部３４２を有する透光カバー３４を備える。側面部３３２とカバー設置部３４２とは、一部が離れており、側面部３３２には、カバー設置部３４２に向かって突出する１つ以上の突出部３１１が設けられている。
【００４２】
このように、基台３３の側面部３３２に突出部３１１が設けられていることから、側面部３３２とカバー設置部３４２との間の隙間３７１内に昆虫等が侵入した際に、突出部３１１が昆虫等の移動の障壁となり、隙間３７１内での昆虫等の移動が制限される。これにより、隙間３７１に侵入した昆虫等は、侵入した経路から再び照明器具１の外側へ移動する可能性が高まり、隙間３７１を経由して、光源３２を覆うカバー本体３４１の内側へ侵入しにくくなる。よって、光源３２が配置された空間への昆虫等の侵入を抑制できる。
【００４３】
さらに、光源３２の熱によって、材料の熱膨張係数が異なる基台３３および透光カバー３４が熱膨張し、基台３３の側面部３３２と透光カバー３４のカバー設置部３４２との接触部が、擦れて異音が発生することがある。突出部３１１が側面部３３２の一部に形成される場合、または、突出部３１１の高さが低い場合には、昆虫の侵入経路を遮断するために形成する突出部３１１によって、側面部３３２とカバー設置部３４２とが接触する部分が少なくなる。よって、このような場合には、側面部３３２とカバー設置部３４２との接触部が擦れて発生する上述の異音も抑制される。
【００４４】
また、突出部３１１のうち少なくとも１つは、カバー設置部３４２と接触していない。
【００４５】
このように、側面部３３２には、カバー設置部３４２と接触していない突出部３１１が存在する。そのため、光源３２の熱によって、材料の熱膨張係数が異なる基台３３および透光カバー３４が熱膨張し、側面部３３２とカバー設置部３４２との接触部が擦れて、異音が発生することが抑制される。
【００４６】
また、側面部３３２には、さらに貫通穴３１５が形成されており、突出部３１１は、貫通穴３１５を囲む領域の一部に設けられている。
【００４７】
このように、貫通穴３１５を囲む領域に突出部３１１が設けられていることにより、貫通穴３１５から侵入した昆虫等が、側面部３３２とカバー設置部３４２との間の隙間３７１内を移動することを阻害することがでる。そのため、貫通穴３１５を通じて侵入する昆虫等が、隙間３７１を経由して、光源３２を覆うカバー本体３４１の内側へ侵入しにくくなる。よって、光源３２が配置された空間への昆虫等の侵入を抑制できる。
【００４８】
また、突出部３１１は、貫通穴３１５を挟むように複数設けられている。
【００４９】
これにより、貫通穴３１５が突出部３１１で挟まれるため、貫通穴３１５から侵入した昆虫等が、側面部３３２とカバー設置部３４２との間の隙間３７１内を移動することをさらに阻害することがでる。
【００５０】
［昆虫の侵入抑制効果の評価］
本実施の形態に係る照明器具における昆虫の侵入抑制効果を確認するために、以下の評価を実施した。
【００５１】
＜照明器具＞
まず、光源および透光カバーを備える光源本体（パナソニック社製：ＮＮＮＬ４５００ＥＮＫ）および基台を備える器具取付用本体（パナソニック社製：ＮＮＬＫ４１５０９）を準備した。次に、実施例１〜１０については、以下のａ〜ｄの寸法について、表１に示される寸法となるように、基台の側面部に突出部をプレス加工により形成した。また、突出部の長手方向の長さが７ｍｍとなるように加工した。プレス加工後、光源本体を器具取付用本体に設置して評価用照明器具とし、評価に使用した。比較例１については、突出部を形成せずそのままの光源本体を器具取付用本体に設置して評価用照明器具とし、評価に使用した。
【００５２】
ａ：突出部の先端部とカバー設置部との間隔ａ（図４参照）
ｂ：突出部の先端部の幅ｂ（図５参照）
ｃ：側面部の端部と端部に隣接する突出部との距離ｃ（図５参照）
ｄ：突出部と当該突出部の隣に位置する貫通穴との距離ｄ（図５参照）
【００５３】
＜評価方法＞
評価用照明器具を１辺１５００ｍｍの密閉可能な箱の内側上面に設置し、その箱の中に３種類の昆虫（ヨコバイ、ショウジョウバエおよびウンカ）をそれぞれ１００匹入れ、密閉した。照明器具を点灯させ２時間経過後、照明器具における透光カバーのカバー本体内側に存在する虫の数を計測し、以下の式により器具昆虫侵入比率を計算した。器具昆虫侵入比率は、比較例１にて計測された虫の数に対する、各実施例において計測された虫の数の比率である。
【００５４】
器具昆虫侵入比率（％）＝（実施例における虫の数／比較例における虫の数）×１００
【００５５】
＜評価結果＞
各実施例における器具昆虫侵入比率の結果を、表１に示す。
【００５６】
【表１】
2020123491.tif 000003
【００５７】
実施例１〜１０における基台の側面部に突出部を形成した照明器具は、すべて器具昆虫侵入比率が９０％以下であり、突出部を形成することにより、昆虫の侵入を抑制できていることがわかる。
【００５８】
実施例１〜５の比較により、突出部の先端部とカバー設置部との間隔ａを小さくすることにより、器具昆虫侵入比率が下がることがわかる。特に、実施例１〜３のように間隔ａを０．６ｍｍ以下にすることで、顕著に器具昆虫侵入比率が低くなった。
【００５９】
実施例９および１０の比較により、突出部と当該突出部の隣に位置する貫通穴との距離ｄを１０ｍｍから５ｍｍにすることにより、器具昆虫侵入比率が下がることがわかる。
【００６０】
以上の結果より、基台の側面部に突出部を形成することにより、照明器具への昆虫の侵入を抑制できることが確認できた。また、突出部の先端部とカバー設置部との間隔ａを０．６ｍｍ以下にすること、および、突出部と当該突出部の隣に位置する貫通穴との距離ｄを５ｍｍ以下にすることで、照明器具への昆虫の侵入をさらに抑制できることが確認できた。
【００６１】
［異音発生の評価］
本実施の形態に係る照明器具における、突出部とカバー設置部と接触している場合に発生する異音について確認するため、以下の評価を実施した。
【００６２】
＜照明器具＞
まず、光源および透光カバーを備える光源本体（パナソニック社製：ＮＮＮＬ４５００ＥＮＫ）および基台を備える器具取付用本体（パナソニック社製：ＮＮＬＫ４１５０９）を準備した。次に、評価例２〜５については、表２に示される接触面積比率となるように、基台の側面部に突出部をプレス加工により形成した。なお、接触面積比率とは、突出部とカバー設置部とが接触する面積の合計の、側面部の正面視における面積に対する比率である。プレス加工後、光源本体を器具取付用本体に設置して評価用照明器具とし、評価に使用した。評価例１については、突出部を形成せずそのままの光源本体を器具取付用本体に設置して評価用照明器具とし、評価に使用した。評価例１の評価用照明器具の接触面積比率は１／２０以下であった。
【００６３】
＜評価方法＞
評価用照明器具を、２５℃に調整された静かな部屋の天井に設置し、１０分間の点灯と１０分間の消灯とを３回繰り返し、点灯および消灯のスイッチ音を除き、通常発生しない音（異音）の発生回数を計測した。音の計測を３回実施し、３回の音発生回数の平均について、以下の基準で結果を判定した。
【００６４】
◎：音発生平均回数が３回未満
○：音発生平均回数が３回以上５回未満
△：音発生平均回数が５回以上１０回未満
×：音発生平均回数が１０回以上
【００６５】
＜評価結果＞
各評価例における異音の発生回数を計測した結果を、表２に示す。異音は、側面部とカバー設置部との接触部が擦れることにより発生する音であった。
【００６６】
【表２】
2020123491.tif 000004
【００６７】
接触面積比率が１／１０〜１／５である評価例２および３では、異音はほとんど発生せず、突出部を形成せず接触面積比率が１／２０以下の照明器具を用いた評価例１との違いがほとんど無い結果となった。それに対して、評価例４および５のように、接触面積比率が１／４以上の照明器具を用いた評価では、異音の発生回数が多くなることがわかる。
【００６８】
以上の結果より、突出部の少なくとも一部がカバー設置部と接触している照明器具であっても、突出部とカバー設置部とが接触する面積の合計を、側面部の正面視の面積に対して１／５以下とすることで、異音の発生を顕著に抑制できることが確認できた。
【００６９】
（変形例）
以下では、実施の形態の変形例について説明する。なお、以下の変形例の説明において、実施の形態との相違点を中心に説明し、実施の形態と同等の部分においては、同一の符号を付してその説明を省略する場合がある。
【００７０】
実施の形態の変形例に係る照明器具は、実施の形態における照明器具１とは、突出部の形成位置が異なり、その他の点については、実施の形態と同じである。
【００７１】
図７は、基台３３の側面部３３２の正面視図であり、カバー設置部３４２と接続されていない状態が示されている。
【００７２】
図７に示されるように、側面部３３２には、貫通穴３１５が形成されており、突出部３１１は、貫通穴３１５を挟むように複数設けられ、さらに、突出部３１１の長手方向が、側面部３３２の長手方向と同じ方向の突出部３１１が複数設けられている。突出部３１１の１つは、側面部３３２において、貫通穴３１５の底面部３３１側にも設けられている。言い換えると、突出部３１１の１つは、正面視において、貫通穴３１５と底面部３３１との間にも設けられている。よって、突出部３１１は、貫通穴３１５を囲む領域のうち、底面部３３１方向を囲む領域を含む３方向を囲む領域に設けられている。なお、図７においては、長手方向の異なる突出部３１１は、それぞれ離れて形成されていたが、長手方向の異なる突出部３１１同士が繋がり一体化した、Ｌ字形状又は＋字形状を含む形状であってもよい。
【００７３】
このように、実施の形態の変形例によれば、突出部３１１の少なくとも１つは、側面部３３２において、貫通穴３１５の底面部３３１側にも設けられている。これにより、昆虫が侵入した場合に、当該突出部３１１が、底面部３３１方向への昆虫等の移動、つまり、光源が配置された空間であるカバー本体３４１の内部への昆虫等の移動を直接制限する。よって、光源３２が配置された空間への昆虫等の侵入をさらに抑制できる。
【００７４】
（その他の実施の形態）
以上、本発明に係る照明器具について、実施の形態に基づいて説明したが、本発明は、上記実施の形態に限定されるものではない。
【００７５】
例えば、上記実施の形態において、突出部３１１は、側面部３３２に複数形成され、すべての突出部３１１がカバー設置部３４２とは接触していないものとしたが、これに限るものではない。例えば、周囲の環境等に合わせて、一部の突出部３１１は、カバー設置部３４２と接触する構造として、異音の発生および昆虫等の侵入抑制の効果を調節してもよい。
【００７６】
また、上記実施の形態において、基台３３の側面部３３２は、底面部３３１の幅方向における両端から、光源３２側の反対側に立設していたが、これに限るものではない。例えば、側面部３３２は、底面部３３１の幅方向における両端から、光源３２側に立設し、側面部３３２における上下の構造が逆転した形状であってもよい。
【００７７】
また、上記実施の形態において、基台３３は、長尺且つ矩形板状の部材であったが、基台３３の形状は、これに限るものではない。例えば、基台は、円形状、楕円形状、正方形状、多角形状等の形状であってもよい。
【００７８】
また、上記の実施の形態において、側面部３３２に貫通穴３１５が形成されていたが、これに限るものではない。例えば、貫通穴の代わりに、基台の内側に係止爪等を形成し、他の部材との固定に用いてもよい。
【００７９】
また、上記の実施の形態において、突出部３１１の形状は、長細い帯状であったが、これに限るものではない。例えば、突出部は、Ｃ字状、Ｌ字状等の形状であってもよく、円環状の突出部が貫通穴を囲むように設けられてもよい。また、貫通穴を囲むように点状の突出部を複数設けてもよい。また、突出部３１１の形状が長細い帯状である場合、突出部３１１の長手方向と側面部３３２の長手方向とが成す角度は、どのような角度であってもよく、例えば、３０度、４５度又は６０度であってもよい。
【００８０】
また、上記の実施の形態において、突出部３１１は、貫通穴３１５を挟むように設けられていたが、これに限るものではない。例えば、突出部３１１は、貫通穴３１５の周りの領域の、一方向のみに設けられてもよく、対向しない２方向に設けられてもよい。
【００８１】
また、上記の実施の形態において、突出部３１１は、貫通穴３１５および側面部３３２の長手方向の端部３１６から離れた位置に設けられていたが、これに限るものではない。例えば、突出部３１１は、貫通穴３１５および端部３１６に接して設けられていてもよい。
【００８２】
また、上記の実施の形態において、突出部３１１は、側面部３３２と一体で形成されていたが、これに限るものではない。例えば、突出部の形状に成形した樹脂、突出部の形成された長尺状の接着シート等を準備し、側面部に張り付けてもよい。
【００８３】
その他、上記実施の形態に対して当業者が思いつく各種変形を施して得られる形態、または、本発明の趣旨を逸脱しない範囲で上記の実施の形態における構成要素および機能を任意に組み合わせることで実現される形態も本発明に含まれる。
【符号の説明】
【００８４】
１  照明器具
３２  光源
３３  基台
３４  透光カバー
３１１  突出部
３１２  先端部
３１５  貫通穴
３２２  発光素子
３３１  底面部
３３２  側面部
３４１  カバー本体
３４２  カバー設置部
３７１  隙間
【図１】
2020123491.tif 000005
【図２】
2020123491.tif 000006
【図３】
2020123491.tif 000007
【図４】
2020123491.tif 000008
【図５】
2020123491.tif 000009
【図６】
2020123491.tif 000010
【図７】
2020123491.tif 000011